【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
適合生物学的試薬の１００以上のセットを備える適合生物学的試薬のキットであって、セットの各々は、異なる標的生体分子に関連するキット。
【請求項２】
請求項１記載のキットにおいて、前記キットは、２５０以上のセットを備えるキット。
【請求項３】
請求項１記載のキットにおいて、前記キットは、５００以上のセットを備えるキット。
【請求項４】
請求項１記載のキットにおいて、前記キットは、１０００以上のセットを備えるキット。
【請求項５】
請求項１記載のキットにおいて、前記キットは、２５００以上のセットを備えるキット。
【請求項６】
請求項１記載のキットにおいて、前記キットは、５０００以上のセットを備えるキット。
【請求項７】
請求項１記載のキットにおいて、前記キットは、１００００以上のセットを備えるキット。
【請求項８】
請求項１から７いずれか記載のキットにおいて、異なる標的生体分子の各々は、異なる遺伝子であるキット。
【請求項９】
請求項１から７いずれか記載のキットにおいて、異なる標的生体分子の各々は、遺伝子のオープンリーディングフレームであるキット。
【請求項１０】
請求項８記載のキットにおいて、前記遺伝子は哺乳動物遺伝子であるキット。
【請求項１１】
請求項８記載のキットにおいて、前記遺伝子はヒト遺伝子であるキット。
【請求項１２】
請求項８記載のキットにおいて、前記キットは、生物体の知られた全遺伝子に関連する生物学的試薬のセットを含むキット。
【請求項１３】
請求項１２記載のキットにおいて、前記キットは、知られた全ヒト遺伝子に関連する生物学的試薬のセットを含むキット。
【請求項１４】
請求項１２記載のキットにおいて、前記キットは、全ヒト遺伝子に関連する生物学的試薬のセットを含むキット。
【請求項１５】
請求項１から７いずれか記載のキットにおいて、前記キットの前記セットは、前記標的生体分子が関与する生物学的経路に従って分類されるキット。
【請求項１６】
請求項１から７いずれか記載のキットにおいて、前記キットの前記セットは、前記標的生体分子が関与する疾病状態に従って分類されるキット。
【請求項１７】
請求項１記載のキットにおいて、適合生物学的試薬のセットの各々は、生物学的試薬の異なる５タイプを備え、タイプの各々は、生体分子の異なるクラス及び／又は生物学的研究製品の異なるタイプであるキット。
【請求項１８】
請求項１記載のキットにおいて、適合生物学的試薬のセットの各々は、生物学的試薬の異なる１０以上のタイプを備えるキット。
【請求項１９】
請求項１記載のキットにおいて、適合生物学的試薬のセットの各々は、生物学的試薬の異なる２５以上のタイプを備えるキット。
【請求項２０】
請求項１記載のキットにおいて、適合生物学的試薬のセットの各々は、生物学的試薬の異なる１００以上のタイプを備えるキット。
【請求項２１】
請求項１記載のキットにおいて、適合生物学的試薬のセットの各々は、生物学的試薬の異なる１０００以上のタイプを備えるキット。
【請求項２２】
請求項１記載のキットにおいて、適合生物学的試薬のセットの各々は、単離生体分子を備えるキット。
【請求項２３】
請求項２２記載のキットにおいて、セット内の前記単離生体分子は、タンパク質及び核酸を備えるキット。
【請求項２４】
請求項２２記載のキットにおいて、セット内の前記単離生体分子は、抗体、ＲＮＡｉ、ＲＮＡ、ＤＮＡ、酵素、及びペプチドを備えるキット。
【請求項２５】
請求項２２記載のキットにおいて、セット内の前記単離生体分子は、抗体、ＲＮＡ、ＤＮＡ、及び酵素を備えるキット。
【請求項２６】
請求項２２記載のキットにおいて、セット内の前記単離生体分子は、抗体、単離タンパク質、ＲＮＡ、ＤＮＡ、及び酵素を備えるキット。
【請求項２７】
請求項１記載のキットにおいて、前記生物学的試薬は、生物学的研究製品を備えるキット。
【請求項２８】
請求項２７記載のキットにおいて、セット内の前記生物学的試薬は、細胞培地、検出製品、分離媒体、及びマイクロアレイを備えるキット。
【請求項２９】
請求項３から５いずれか記載のキットにおいて、前記キットは、異なる５００以上の単離生体分子を備えるキット。
【請求項３０】
請求項３から２３いずれか記載のキットにおいて、前記キットは、異なる１０００以上の単離生体分子を備えるキット。
【請求項３１】
請求項３から２３いずれか記載のキットにおいて、前記キットは、異なる１００００以上の単離生体分子を備えるキット。
【請求項３２】
請求項３から２３いずれか記載のキットにおいて、前記キットは、異なる２５０００以上の単離生体分子を備えるキット。
【請求項３３】
請求項３から２３いずれか記載のキットにおいて、前記単離生体分子は、ヒト生体分子であり、又はヒト生体分子に選択的に結合するキット。
【請求項３４】
請求項１７記載のキットにおいて、前記キットは、異なる１００以上の単離核酸、異なる１００以上の単離核酸にコードされる異なる１００以上の単離タンパク質、異なる１００以上の単離タンパク質に対する異なる１００以上の抗体、及び異なる１００以上の単離核酸を各々備える異なる１００以上の組換え細胞株を備えるキット。
【請求項３５】
請求項１７記載のキットにおいて、前記キットは、異なる１０００以上の単離核酸、異なる１０００以上の単離核酸にコードされる異なる１０００以上の単離タンパク質異なる１０００以上の単離タンパク質に対する異なる１０００以上の抗体、及び異なる１０００以上の単離核酸を各々備える異なる１０００以上の組換え細胞株を備えるキット。
【請求項３６】
請求項３５記載のキットにおいて、異なる１０００以上の単離核酸を増幅させるための異なる１０００以上のプライマー対を更に備えるキット。
【請求項３７】
電子商品目録ファイルに挙げられた生物学的コンテンツ及び製品及び／又はサービスを入手するためのサーバであって、
前記電子商品目録ファイルは、標的項目の１以上の分離した種々のグループを含む複数のファイルを備える１以上の電子記憶媒体上に記憶され、
１以上のユーザにより、ユーザ末端及び双方向通信連絡を介して、前記電子記憶媒体にアクセスする１以上の標的項目に接続し、関連する１以上の生物学的性状を含む抽出が、前記電子記憶媒体内の前記標的項目用の前記サーバ内で適切な要求を介して作成され；
要求を入力して前記抽出を作成し；
前記抽出を回収し；
前記電子媒体に記憶された前記標的項目の１以上のサブセットを１以上の前記ユーザに提供し抽出に基づく１以上の階層メニューを含むページを作成することを含み、
１以上の前記メニューは、前記サブセット内の前記標的項目を、ソートされる標的項目の前記関連生物学的性状の類似性の経験計測に基づく標的項目のユーザアクセス可能ファイルへとソートし、１以上の前記階層メニュー出力ページは、１以上の前記関連生物学的性状を共有し、１以上の前記ユーザが前記電子記憶媒体上に記憶された目的の製品及び／又はサービスを識別し、表示された出力ページを含む適切なグラフィックユーザインターフェース（ＧＵＩ）を活性化することにより、識別された前記製品を入手することを可能にし、前記ファイルの各々へとソートされた前記標的項目を特定するサーバ。
【請求項３８】
請求項３７記載の方法において、前記製品及び前記サービスは、生物学的に関連する製品及びサービスであるサーバ。